(57)【要約】【課題】  薬剤の取り扱いが容易な薬剤用バインダーに好都合に用いることができる薬剤収容用シートを提供すること。【解決手段】  シート状本体１８の少なくとも片面側には、薬剤を収容するための複数の薬剤収容袋部２２が設けられた収容袋領域部Ｓ３、第１表示収容部２６が設けられた第１表示領域部Ｓ１及び第２表示収容部２８が設けられた第２表示領域部Ｓ２が設けられ、複数の薬剤収容袋部２２は上下方向に複数段に且つ横方向に複数例に配設され、第１表示領域部Ｓ１は、薬剤袋領域部Ｓ３の上下方向の一端部に設けられ、第２表示領域部Ｓ２は薬剤袋領域部Ｓ３の横方向の一側部に設けられ、第１表示収容部Ｓ１には、薬剤を飲む日を表示する日表示シート３６（又は時を表示する時表示シート３８）が収容され、また第２表示収容部２８には、時表示シート３８（又は日表示シート３６）が収容される。【選択図】  図２
2010035955.tif 000002
【特許請求の範囲】
【請求項１】
綴じ穴が設けられたシート状本体を備え、前記シート状本体の少なくとも片面側には、薬剤を収容するための複数の薬剤収容袋部が設けられた収容袋領域部、第１表示収容部が設けられた第１表示領域部及び第２表示収容部が設けられた第２表示領域部が設けられ、前記複数の薬剤収容袋部は上下方向に複数段に且つ横方向に複数例に配設され、前記第１表示領域部は、前記薬剤袋領域部の前記上下方向の一端部に設けられ、前記第２表示領域部は前記薬剤袋領域部の前記横方向の一側部に設けられ、前記第１表示収容部には、薬剤を飲む日を表示する日表示シート又は時を表示する時表示シートが収容され、また前記第２表示収容部には、薬剤を飲む時を表示する時表示シート又は日を表示する日表示シートが収容されることを特徴とする薬剤収容用シート。
【請求項２】
前記シート状本体の前記片面側には雄形面ファスナー又は雌形面ファスナーが設けられ、その他面側には雌形面ファスナー又は雄形面ファスナーが設けられていることを特徴とする請求項１に記載の薬剤収容用シート。
【請求項３】
前記複数の薬剤収容袋部は、上端部に開口を有する袋本体部と、前記袋本体部の開口を被うためのカバー部とを備え、前記袋本体部の上部外表面には第１特定色が施され、前記カバー部の外表面には、前記第１特定色と異なる第２特定色が施されていることを特徴とする請求項１又は２に記載の薬剤収容用シート。
【請求項４】
前記複数の薬剤収容袋部は、上端部に開口を有する袋本体部と、前記袋本体部の開口を被うためのカバー部とを備え、前記袋本体部は、柔らかい合成樹脂シートから形成され、前記カバー部は、前記袋本体部よりも硬い合成樹脂シートから形成されていることを特徴とする請求項１又は２に記載の薬剤収容用シート。
【請求項５】
綴込み金具を備えたバインダー本体と、請求項１〜４のいずれかに記載の薬剤収容用シートとを備え、前記薬剤収容用シートが前記綴込み金具に着脱自在に装着されることを特徴とする薬剤用バインダー。
【発明の詳細な説明】
【技術分野】
【０００１】
本発明は、薬剤を収容する薬剤収容用シート及びこれを綴じ込む薬剤用バインダーに関する。
【背景技術】
【０００２】
患者が服用する薬剤は、医師の処方箋に従って所定時に所定の薬剤を服用する必要があり、このようなことから、薬剤の服用を容易に管理できるように服用管理袋が提案されている（例えば、特許文献１参照）。この服用管理袋は、室内の壁などに吊り下げられる台紙を備え、この台紙に複数の薬剤収容部が設けられている。複数の薬剤収容部は、台紙の上下方向に７段（日曜日から土曜日に対応している）に、また台紙の横方向に３列（朝、昼及び夜に対応している）に設けられており、これら薬剤収容部に所要の薬剤を収容することによって、１周間にわたって服用すべき薬剤の管理を行うことができる。
【０００３】
【特許文献１】特開２００３−５２７９３号公報
【発明の開示】
【発明が解決しようとする課題】
【０００４】
しかしながら、服用すべき薬剤を上述したような薬剤管理袋で管理しようとしたときに、次の通りの問題がある。第１に、薬剤収容部を上下方向に７段、横方向に３列に台紙に配設する必要があるために、台紙自体が大きくなり、例えば病院、介護老人ホームなどにおいて用いようとしたときに、その取扱い、持運びなどが煩雑となる。第２に、薬剤収容部の上端部が開放されているために、取扱いなどの際に上下が逆になると、収容された薬剤が薬剤収容部から落下する。第３に、薬剤収容部が透明な合成樹脂材料から形成され、収容された薬剤を薬剤収容部を通して外側から目視することができるようになっているが、薬剤自体が小さいなどの場合においては、薬剤収容部内の薬剤を離れた場所から確認するのが容易でなく、従って、離れた場所などからの薬剤の服用の有無の確認が容易でない。
【０００５】
本発明の目的は、服用すべき薬剤の管理が容易で且つ取扱いなども容易に行うことができる薬剤用バインダーを提供することである。
本発明の他の目的は、薬剤用バインダーに好都合に用いることができる薬剤収容用シートを提供することである。
【０００６】
本発明の更に他の目的は、薬剤の服用の有無の確認を容易に行うことができる薬剤収容用シートを提供することである。
【課題を解決するための手段】
【０００７】
本発明の請求項１に記載の薬剤収容用シートは、綴じ穴が設けられたシート状本体を備え、前記シート状本体の少なくとも片面側には、薬剤を収容するための複数の薬剤収容袋部が設けられた収容袋領域部、第１表示収容部が設けられた第１表示領域部及び第２表示収容部が設けられた第２表示領域部が設けられ、前記複数の薬剤収容袋部は上下方向に複数段に且つ横方向に複数例に配設され、前記第１表示領域部は、前記薬剤袋領域部の前記上下方向の一端部に設けられ、前記第２表示領域部は前記薬剤袋領域部の前記横方向の一側部に設けられ、前記第１表示収容部には、薬剤を飲む日を表示する日表示シート又は時を表示する時表示シートが収容され、また前記第２表示収容部には、薬剤を飲む時を表示する時表示シート又は日を表示する日表示シートが収容されることを特徴とする。
【０００８】
また、本発明の請求項２に記載の薬剤収容用シートでは、前記シート状本体の前記片面側には雄形面ファスナー又は雌形面ファスナーが設けられ、その他面側には雌形面ファスナー又は雄形面ファスナーが設けられていることを特徴とする。
【０００９】
また、本発明の請求項３に記載の薬剤収容用シートでは、前記複数の薬剤収容袋部は、上端部に開口を有する袋本体部と、前記袋本体部の開口を被うためのカバー部とを備え、前記袋本体部の上部外表面には第１特定色が施され、前記カバー部の外表面には、前記第１特定色と異なる第２特定色が施されていることを特徴とする。
【００１０】
また、本発明の請求項４に記載の薬剤収容用シートでは、前記複数の薬剤収容袋部は、上端部に開口を有する袋本体部と、前記袋本体部の開口を被うためのカバー部とを備え、前記袋本体部は、柔らかい合成樹脂シートから形成され、前記カバー部は、前記袋本体部よりも硬い合成樹脂シートから形成されていることを特徴とする。
【００１１】
更に、本発明の請求項５に記載の薬剤収容用シートは、綴込み金具を備えたバインダー本体と、請求項１〜４のいずれかに記載の薬剤収容用シートとを備え、前記薬剤収容用シートが前記綴込み金具に着脱自在に装着されることを特徴とする。
【発明の効果】
【００１２】
本発明の請求項１に記載の薬剤収容用シートによれば、複数の薬剤収容部を備えたシート状本体に綴じ穴が設けられているので、この綴じ穴を利用してバインダーの綴込み金具に装着することができ、多数枚の薬剤収容用シートをバインダーに装着することによって、多数日にわたって服用すべき薬剤であっても容易に管理することができる。また、シート状本体の少なくとも片面側の収容袋領域部の上下方向の一端部に第１表示領域部が設けられ、その薬剤袋領域部の横方向の一側部に第２表示領域部が設けられ、第１表示収容部に日表示シート（又は時表示シート）が収容され、また第２表示収容部には、時表示シート（又は日表示シート）が収容されるので、複数の薬剤収容部に収容された薬剤の服用すべき日及び時を一目で把握することができる。
【００１３】
また、本発明の請求項２に記載の薬剤収容用シートによれば、シート状本体の片面側には雄形面ファスナー（又は雌形面ファスナー）が設けられ、その他面側には雌形面ファスナー（又は雄形面ファスナー）が設けられているので、バインダーに装着した状態において、隣合う薬剤収容シートの一方のシートの雄形面ファスナー（又は雌形面ファスナー）と他方のシートの雌形面ファスナー（又は雄形面ファスナー）とを係合させることができ、このように係合させることよって、この隣合う薬剤収容シート間が開いた状態になるのを防止することができる。例えば、複数の薬剤収容部に収容された薬剤を全て服用した後にこのように面ファスナーを係合させることによって、服用済みであることを容易に確認することができる。
【００１４】
また、本発明の請求項３に記載の薬剤収容用シートによれば、薬剤収容袋部の袋本体部の上部外表面に第１特定色（例えば、緑色、青色など）が施され、薬剤収容袋部のカバー部の外表面に第２特定色（例えば、オレンジ色、赤色など）が施されているので、このカバー部を薬剤収容袋部内に収容する（例えば、薬剤を収容したときにこのように収容する）ことによって、袋本体部の第１特定色（例えば、緑色、青色など）が表側に現れ、またカバー部を薬剤収容袋部から出す（例えば、薬剤を服用した後にこのように出す）ことによって、第２特定色（例えば、オレンジ色、赤色など）が表側に現れ、薬剤収容部の色を見ることによって服用の有無を容易に把握することができる。この薬剤収容シートでは、薬剤の落下防止を優先するときには、薬剤を収容したときにカバー部を袋本体部内に入れるように使用すればよく、また収容した薬剤の取出しを優先するときには、薬剤を収容したときにカバー部を袋本体部から出すように使用すればよい。
【００１５】
また、本発明の請求項４に記載の薬剤収容用シートによれば、薬剤収容袋部の袋本体部が柔らかい合成樹脂シートから形成され、そのカバー部が袋本体部よりも硬い合成樹脂シートから形成されているので、袋本体部にあっては容易に変形して薬剤の収容、取出しが容易となり、またカバー部にあっては、その変形が抑えられ、薬剤収容袋部の開口が容易に開放されるのを防止することができる。
【００１６】
更に、本発明の請求項５に記載の薬剤収容用シートによれば、請求項１〜４のいずれかに記載の薬剤収容用シートがバインダー本体の綴込み金具に着脱自在に装着されるので、薬剤収容用シートの上述した作用効果を備えたバインダーを提供することができる。
【発明を実施するための最良の形態】
【００１７】
以下、添付図面を参照して、本発明に従う薬剤収容用シート及びこれを綴じ込んだバインダーについて説明する。図１は、本発明に従う薬剤用バインダーの一実施形態を開いた状態で示す図であり、図２は、図１の薬剤用バインダーの薬剤収容用シートを示す図であり、図３は、図２の薬剤収容用シートの薬剤収容袋部の一つ及びその近傍を、カバー部を収容した状態で示す部分拡大断面図であり、図４は、カバー部を出した状態で示す、図３に対応する部分拡大断面図である。
【００１８】
図１及び図２において、図示の薬剤用バインダーは、薬剤収容用シート２を綴じ込むためのバインダー本体４を備え、このバインダー本体４は、表側となる表紙部６と、裏側となる裏表紙部８と、表紙部６及び裏表紙部８とを接続する接続部１０とを有し、接続部１０の内面側に綴込み金具１２が取り付けられている。図示の綴込み金具１２は、開閉可能な半割リング１４を備え、半割リング１４が図１において上下方向に間隔をおいて４つ設けられている。綴込み金具１２としては上述した形態に限定されず、半割リングが上下方向に例えば２６個（又は３０個）設けられているもの、半割リングが上下方向に例えば６つ設けられているもの（例えば、上側に３つ、下側に３つ設けられているもの）など各種の綴込み金具を用いることができる。
【００１９】
このバインダー本体４の表紙部６及び裏表紙部８の上角部には孔１５が設けられている。これら孔１５のいずれか一方が利用され、かかる孔１５を通してリング状の掛け紐（図示せず）が付けられる。室内の壁などには掛け具（図示せず）が取り付けられ、この掛け具に掛け紐が掛けられ、薬剤用バインダーはこのように掛け具に掛けるようにして用いられる。尚、孔１５は表紙部６又は裏表紙部８のいずれか一方に設ければよく、掛けて用いないときは、孔１５自体を省略することもできる。
【００２０】
次に、薬剤収容用シート２について説明すると、この薬剤収容用シート２は、綴込み金具１２の半割リング１４に通すための綴じ穴１６が設けられたシート状本体１８を備え、この綴じ穴１６は半割リング１４に対応して設けられている。このシート状本体１８の両面側には、薬剤２０（図３参照）を収容するための複数の薬剤収容袋部２２が設けられている。薬剤収容用シート２の表側の構成（図１において右側の薬剤収容用シート２に示された構成）とその裏側の構成（図１において左側の薬剤収容用シート２に示された構成）とは実質上同一で左右対称になっており、以下、薬剤収容用シート２の表側の構成について説明する。
【００２１】
シート状本体１８の上下方向（図１及び図２において上下方向）の一端部、この実施形態では上端部に第１表示領域部Ｓ１が設けられ、第１表示領域部Ｓ１が横方向（図１及び図２において左右方向）に延びている。この第１表示領域部Ｓ１は細長い第１表示収容部２６から構成されている。またシート状本体１８の横方向の一側部、この実施形態では右側部に第２表示領域部Ｓ２が設けられ、この第２表示領域部Ｓ２が上下方向に延びている。この第２表示領域部Ｓ２は細長い第２表示収容部２８から構成されている。
【００２２】
第１表示領域部Ｓ１と第２表示領域部Ｓ２との矩形状の交差領域部Ｓ３は、表示部として機能せず、この交差領域部Ｓ３には、例えば雄形面ファスナー３０が設けられている。このことに対応して、シート状本体１８の裏側の第１表示領域部Ｓ１と第２表示領域部Ｓ２との交差領域部Ｓ３には、雄形面ファスナー３０と着脱自在に係合する雌形面ファスナー３２が設けられている。尚、上述とは反対に、シート状本体１８の表側の交差領域部Ｓ３に雌形面ファスナー３２を設け、その裏側の交差領域部Ｓ３に雄形面ファスナー３０を設けるようにしてもよい。
【００２３】
このことに関連して、第１表示収容部２６の端部（具体的には、交差領域部Ｓ３に隣接する端部）に開口３４が設けられ、この開口３４側を除く三方が閉じられており、後述する日表示シート３６が矢印３８（図２参照）で示すように開口３４を通して第１表示収容部２６に収容される。また、第２表示収容部２８の端部（具体的には、交差領域部Ｓ３に隣接する端部）に開口４０が設けられ、この開口４０を除く三方が閉じられており、後述する時表示シート４２が矢印４４で示すように開口４０を通して第２表示収容部２８に収容される。
【００２４】
この実施形態では、日表示シート３６には、連続する２日間の日が表示され、図１において左側の薬剤収容用シート２の第１表示収容部２６には、「１９日」及び「２０日」と表示された日表示シート３６が収容され、図１において右側の薬剤収容用シート２の第１表示収容部２６には、「２１日」及び「２２日」と表示された日表示シート３６が収容され、このシート状本体１８の片面に２日間の間に服用すべき薬剤２０が収容されるように構成されている。このシート状本体１８の片面側に１日又は３日間以上の薬剤を収容するようにしてもよく、かかる場合、第１表示収容部２６に１日又は３日間の日が表示された日表示シートが収容される。
【００２５】
また、時表示シート４２には、一日のうちの服用すべき時が表示され、図１において左側及び右側の薬剤収容用シート２の第２表示収容部２８には、「あさ」、「ひる」、「よる」及び「寝る前」と表示された時表示シート４２が収容され、このような時表示シート４２を用いるシート状本体１８は、１日に薬剤２０を４回服用する患者などに好都合に適用される。１日に薬剤２０を例えば３回服用する場合、時表示シート４２として「あさ」、「ひる」及び「よる」と表示されたものが用いられる。
【００２６】
シート状本体１８の第１及び第２表示領域部Ｓ１，Ｓ２を除く大部分には収容袋領域部Ｓ３が設けられ、複数の薬剤収容袋部２２はかかる収容袋領域部Ｓ３に設けられている。この実施形態では、シート状本体１８の片面に２日分の薬剤２０が収容されることに関連して、その横方向に（即ち、日表示シート３６に表示された日に対応して）２列に薬剤収容袋部２２が配設されている。また、シート状本体１８の片面に１日４回分の薬剤２０が収容されることに関連して、その上下方向に（即ち、時表示シート４２に表示された時に対応して）４段に薬剤収容袋部２２が設けられている。
【００２７】
これらの薬剤収容袋部２２は、例えば、次のように構成される。図３及び図４をも参照して、薬剤収容袋部２２は、薬剤２０が収容される袋本体部４６及びカバー部４８を備えている。袋本体部４６は上端部が開放された袋状であり、例えば合成樹脂シートの底部及び両側部をシート状本体１８に例えば熱溶着などの手段によって固着される。また、カバー部４８はその上端部が熱溶着などの手段によってシート状本体１８に固着され、その下端部は袋本体部４６の開口部を越えて下方に延びている。袋本体部４６内に薬剤２０を収容したときには、図３に示すように、カバー部４８の下端部を袋本体部４６の開口を通してその内部に収容するのが望ましく、このようにすることによって、袋本体部４６の開口がカバー部１８によって確実に被われ、バインダー本体４を上下逆さにしたときなどにおいても収容された薬剤２０が落ちることがなく、薬剤２０を確実に収容保持することができる。また、薬剤２０取り出して服用した後は、図３に示すように、カバー部４８の下端部を袋本体部４６内に収容するようにしてもよいが、図４に示すように、カバー部４８を袋本体部４６から出すようにしてもよい。
【００２８】
袋本体部４６は柔らかい合成樹脂シートから構成するのが好ましく、このように構成することによって袋本体部４６が撓みやすくなり、薬剤２０の出し入れが容易となる。また、カバー部４８は袋本体部４６よりも硬い合成樹脂シートから構成するのが好ましく、このように構成することによって、カバー部４８が袋本体部４６よりも撓み難くなり、仮にカバー部４８を袋本体部４６から出した状態（図４に示す状態）においてバインダー本体４を上下逆さにしたときなどにおいても収容された薬剤２０の落下を防止することができる。尚、これら袋本体部４６は、収容された薬剤２０を確認できるように、透明なシートから形成するのが好ましい。
【００２９】
この薬剤用バインダーは、例えば、次のようにして使用される。綴込み金具１２の半割リング１４を開き、この綴込み金具１２に例えば１か月分の薬剤収容用シート２を綴じ込む（換言すると、第１表示収容部２６に日表示シート３６として「１日」〜「４日」、「５日」〜「８日」・・・「２９日」〜「３１日」を収容したシート２を綴じ込む）。そして、服用すべき薬剤２０を服用する日及び時間に対応させて所定の薬剤収容袋部２２に収容する。このとき、薬剤２０を収容した薬剤収容袋部２２にあっては、収容した薬剤２０が出ないようにするために、図３に示すように、そのカバー部４８を袋本体部４６内に収容する。
【００３０】
薬剤２０の調剤行為を１か月分行うときには、薬剤用バインダーに綴じられた全ての薬剤収容用シート２の対応する薬剤収容袋部２２に薬剤２０が収容されるが、この調剤行為を例えば２週間分行うときには、薬剤用バインダーに綴じられた薬剤収容用シート２の一部のシートの薬剤収容袋部２２に薬剤２０が収容され、このような場合には、バインダー本体４の表紙部６及び／又は裏表紙部８の内面に透明なシート収容部を設け、このシート収容部に調剤行為の内容を示すシート（薬剤２０の種類、薬剤２０の服用期間及び時間などを記載したもの）を収容するのが好ましく、このようなシートを収容することによって、薬剤用バインダーに収容された薬剤２０を容易に確認することができる。
【００３１】
薬剤用バインダーに収容された薬剤を服用するときには、服用する日に対応する個所を開き、服用する時に対応する薬剤収容袋部２２に収容された薬剤２０を取り出して服用する。このとき、図１に示すように、服用する日に対応する個所が開いた状態に保持されるように、その他の個所については、相互に隣接する一方のシート状本体１８の雄形面ファスナー３０と他方のシート状本体１８の雌形面ファスナー３２とを係合されてこれらシート状本体１８間を閉じた状態に保持するように用いることができる。
【００３２】
薬剤２０を取り出す際には、薬剤収容袋部２２のカバー部４８を引き出して袋本体部４６の開口を開放し、この開口を通して薬剤２０を取り出せばよく、取り出した後は、このカバー部４８を出した状態にしてもよく、或いは袋本体部４６内に入れるようにしてもよい。
【００３３】
このようにして開いた状態のシート状本体１８の薬剤収容袋部２２に収容された薬剤を全て服用すると、シート状本体１８を一枚捲って次の個所を開放状態にし、次のシート状本体１８に収容された薬剤２０を服用するようになる。
【００３４】
上述した薬剤用バインダーにおいては、服用の有無の確認は、薬剤収容袋部２２に収容された薬剤２０の有無によって行うようになるが、この確認を容易に行うようにするために、例えば、次のように構成することもできる。図５は、薬剤用バインダーの変形形態の一部を開いた状態で示す図である。尚、この変形形態において、上述した実施形態と実質上同一の部材には同一の参照番号を付し、その説明を省略する。
【００３５】
図５において、この変形形態においては、薬剤収容用シート２Ａの薬剤収容袋部２２Ａに修正が施されている。更に説明すると、薬剤収容袋部２２Ａの袋本体部４６Ａの上部外表面に第１特定色が施されている（図５において、領域Ｐ１が第１特定色が施された部分である）。第１特定色は、緑色、青色などの適宜の色でよく、袋本体部４６Ａの全体に施すようにしてもよい。この第１特定色は、例えば、袋本体部４６Ａに第１特定色のシールを貼付する、第１特定色の塗料を塗布する、袋本体部４６Ａを構成するシート自体を第１特定色とするなどにより施すことができる。
【００３６】
また、袋本体部４６Ａのカバー部４８の外表面に、第１特定色とな異なる第２特定色が施されている（図５において、領域Ｐ２が第２特定色が施された部分である）。第２特定色は、オレンジ色、赤色などの適宜の色でよく、カバー部４８Ａの全体に施されている。この第２特定色も、第１特定色と同様に、例えば、カバー部４８Ａに第２特定色のシールを貼付する、第２特定色の塗料を塗布する、カバー部４８Ａを構成するシート自体を第２特定色とするなどにより施すことができる。尚、この変形形態のその他の構成は、図１〜図４に示す実施形態と実質上同一である。
【００３７】
このように第１及び第２特定色が施された薬剤収容用シート２Ａにおいては、図５から理解される如く、カバー部４８Ａの下端部を袋本体部４６Ａに収容した状態（薬剤を収容した状態においては、カバー部４８Ａをこのように収容する）においては、袋本体部４６Ａに施された第１特定色が外側に露呈し（このとき、カバー部４８Ａの一部も外側に露出するので、その第２特定色も一部露呈するが、この第２特定色の露呈をなくすためには、カバー部４８Ａの先端側のみ第２特定色を施すようにすればよい）、またカバー部４６Ａを袋本体部４６Ａから出した状態（薬剤を取り出した状態においては、カバー部４８Ａをこのように出した状態とする）においては、カバー部４８Ａに施された第２特定色が外側に露呈するようになる。
【００３８】
従って、薬剤の落下防止を優先する場合などにおいては、薬剤２０を収容したときにカバー部４８Ａを袋本体部４６Ａ内に収容する状態にし、薬剤２０を取り出したときカバー部４８Ａを袋本体部４６Ａから出した状態にするように使用することにより、第１特定色が外部に露呈している薬剤収容袋部２２Ａには薬剤２０が収容され、第２特定色が外部に露呈している薬剤収容袋部２２Ａには薬剤２０が収容されてなく（換言すると、この薬剤収容袋部２２Ａに収容された薬剤２０は、既に服用されている）、各薬剤収容袋部２２Ａの色が第１特定色か第２特定色かによって、薬剤の服用の有無を容易に把握することができ、使い勝手のよい薬剤収容用シート２Ａを提供することができる。
【００３９】
上述では薬剤２０の落下防止を優先させて使用する場合について説明したが、薬剤２０の取出しを優先させて使用する場合においては、上述した場合と反対に、薬剤２０を収容したときにカバー部４８Ａを袋本体部４６Ａから出した状態にし、薬剤を取り出したときカバー部４８Ａを袋本体部４６Ａ内に収容した状態にするように使用するようになり、このように使用することにより、第２特定色が外部に露呈している薬剤収容袋部２２Ａには薬剤２０が収容され、第１特定色が外部に露呈している薬剤収容袋部２２Ａには薬剤２０が収容されてなく、このように使用しても薬剤収容袋部２２Ａの色が第１特定色か第２特定色かによって、薬剤の服用の有無を容易に把握することができる。
【００４０】
以上、本発明に従う薬剤収容用バインダー及びこれを綴じ込む薬剤用バインダーついて説明したが、本発明はこれら実施形態に限定されるものではなく、本発明の範囲を逸脱することなく種々の変形乃至修正が可能である。
【００４１】
例えば、上述した実施形態の薬剤収容用シート２においては、シート状本体１８の両面側に薬剤収容袋部２２、第１表示収容部２６及び第２表示収容部２８を設けているが、このような形態に限定されず、シート状本体１８の任意の片面側にのみこれらを設けるようにしてもよい。
【００４２】
また、例えば、上述した実施形態の薬剤収容用シート２においては、シート状本体１８の上下方向の上端部に第１表示収容部２６を設けているが、これに限定されず、この第１表示収容部２６を上下方向の下端部に設けるようにしてもよい。
【００４３】
また、例えば、上述した実施形態の薬剤収容用シート２においては、シート状本体１８の第１表示収容部２６に日表示シート３６を収容し、第２表示収容部２８に時表示シート４２を収容しているが、これとは反対に、第１表示収容部２６に時表示シート４２を収容し、第２表示収容部２８に日表示シート３６を収容するようにしてもよい。この場合、時表示シート４２に表示された時に対応して、シート状本体１８の横方向に薬剤収容袋部２２が所定の列だけ設けられ、また日表示シート３６に表示された日に対応して、シート状本体１８の上下方向に薬剤収容袋部２２が所定の段だけ設けられる。
【図面の簡単な説明】
【００４４】
【図１】本発明に従う薬剤用バインダーの一実施形態を開いた状態で示す図。
【図２】図１の薬剤用バインダーの薬剤収容用シートを示す図。
【図３】図２の薬剤収容用シートの薬剤収容袋部の一つ及びその近傍を、カバー部を収容した状態で示す部分拡大断面図。
【図４】カバー部を出した状態で示す、図３に対応する部分拡大断面図。
【図５】薬剤用バインダーの変形形態の一部を開いた状態で示す図。
【符号の説明】
【００４５】
２，２Ａ  薬剤収容用シート
４  バインダー本体
１２  綴込み金具
１８  シート状本体
２０  薬剤
２２，２２Ａ  薬剤収容袋部
２６  第１表示収容部
２８  第２表示収容部
３６  日表示シート
３８  時表示シート
４６，４６Ａ  袋本体部
４８，４８Ａ  カバー部
Ｐ１  第１特定色が施された領域
Ｐ２  第２特定色が施された領域
Ｓ１  第１表示領域部
Ｓ２  第２表示領域部
Ｓ３  収容袋領域部
【図１】
2010035955.tif 000003
【図２】
2010035955.tif 000004
【図３】
2010035955.tif 000005
【図４】
2010035955.tif 000006
【図５】
2010035955.tif 000007